(57)【要約】【課題】簡易に使用できる据え置き型の衛生薄葉紙ディスペンサーを提供する。【解決手段】  取り出し口１１Ｈを有する前板部１が前方に傾斜して設けられているディスペンサー本体部１０が、台座部２０によって据え置き可能に支持されている衛生薄葉紙ディスペンサーＸ１により解決される。【選択図】図１
2010076811.tif 000002
【特許請求の範囲】
【請求項１】
前板部及びこの前板部の底側に位置する底板部を有するディスペンサー本体部とディスペンサー本体部を支持する台座部とを備え、
前記前板部に衛生薄葉紙の取り出し口が形成されているとともに、前記台座部を介して水平面上に据え置いたときに、前記前板部が前方に傾斜していることを特徴とする衛生薄葉紙ディスペンサー。
【請求項２】
台座部を介して水平面に載置したときに、ディスペンサー本体部の前板部と水平面との間の角度が６０〜８０度である請求項１記載の衛生薄葉紙ディスペンサー。
【請求項３】
取り出し口が幅方向に延在する細長形状をなし、かつ、取り出し口の下側縁が前側に延出して延出片が形成されている請求項１記載の衛生薄葉紙ディスペンサー。
【請求項４】
延出片の上縁の幅方向中央部に凹部欠損部が形成されている請求項３記載の衛生薄葉紙ディスペンサー。
【請求項５】
前記台座部が、前板部の底側縁より前方に延在された延在部を有し、ディスペンサー本体部の前側への傾倒が防止されている請求項１記載の衛生薄葉紙ディスペンサー。
【請求項６】
ディスペンサー本体部は、前板部に対して間隔を空けて配された背板部と、前板部と背板部との側部を連結する側板部とを有して前方上部開放の箱形をなしている請求項１記載の衛生薄葉紙ディスペンサー。
【請求項７】
ディスペンサー本体部は、上部開放部分を塞ぐ開閉自在な蓋部材を備える請求項６記載の衛生薄葉紙ディスペンサー。
【発明の詳細な説明】
【技術分野】
【０００１】
本発明は、衛生薄葉紙ディスペンサーに関する。さらに詳しくは、キッチンペーパー、ペーパータオル、手ふき用等の清拭用ワイプなどの衛生薄葉紙を重層した衛生薄葉紙の束を収納して、取り出し口から１枚ずつ取り出す衛生薄葉紙ディスペンサーに関する。
【背景技術】
【０００２】
この種の衛生薄葉紙ディスペンサーは、細部の形状は種々あるが、衛生薄葉紙の束を収納する本体とその底部に形成された取り出し口とを有し、この取り出し口から衛生薄葉紙を摘み出して、内部の束に触れずに１枚ずつ衛生的に取り出して使用可能にしたものである（特許文献１〜４等）。このディスペンサーの多くは、背面に設けられた適宜の手段により壁に設置して使用する形態を採るが、中には据え置きのものも開発されている（特許文献４等）。
【０００３】
他方、このディスペンサーに用いられる衛生薄葉紙の束は、方形の衛生薄葉紙が実質的に二つ折りされ、その折り返し片の縁が上下に隣接する衛生薄葉紙の折り返し内面に位置するようにして互い違いに重なり合うように積層されており、最下部又は最下部の一枚を取り出すと、衛生薄葉紙が有する紙特有の摩擦によって、隣接する衛生薄葉紙の折り返し片がつられて引き出されるようになっている。
【０００４】
一般的には、図７及び８に示すように、かかる衛生薄葉紙の束１００は、樹脂製の外装フィルム２００によってピロー包装等された状態で市販に供され、多くはディスペンサーを用いずに使用することも想定して、上面に直線上の開封用ミシン目線２０１が形成されていて、この開封用ミシン目線を裂開することで上面にスリット状の開封口２０１Ｓが形成され、簡易に内部の衛生薄葉紙１０１を一枚ずつ取り出せるようになっている。
【０００５】
特に、飲食店、総菜店、スーパーマーケットにおける厨房などにおいては、作業中に迅速に手や食料品を清拭する必要があり、また、作業スペースが限られることもあり、設置位置が限定されるとともに設置のための空間をも必要とする上記従来のディスペンサーの使用を嫌って、かかるピロー包装の市販形態のまま作業台においてそのまま使用することが好まれる。
【０００６】
しかし、ピロー包装された衛生薄葉紙束をそのまま使用する場合、特に内包残数が減少してスリット２０１Ｓと束上面の距離が空いてきたときに、スリット状開封口２０１Ｓによって衛生薄葉紙を支えることができなくなり、包装内部にシートが落ち込んでしまうことがある。
そして、このときに特に濡れたり汚れたりした手を包装内に入れると、未使用で残存する束が汚染され、以降衛生的な使用ができなくなる。また、落ち込んだシートを取り出すために、外装フィルム内に手を入れて取り出す煩雑な操作が必要となることから、結果的に厨房等内における主作業の効率を低下させる場合もある。
【特許文献１】特開平０６−１４４４４８号公報
【特許文献２】特開２００６−２０４４０４号公報
【特許文献３】特開２００１−８７１６１号公報
【特許文献４】実用新案登録第３１３７５８２号公報
【発明の開示】
【発明が解決しようとする課題】
【０００７】
そこで、本発明の主たる課題は、省スペースで作業台等においても場所を取らず、かつ、取り出し性に優れるとともに衛生的かつ簡易に使用できる衛生薄葉紙ディスペンサーを提供することにある。
【課題を解決するための手段】
【０００８】
上記課題を解決した本発明は次記の通りである。
＜請求項１記載の発明＞
前板部及びこの前板部の底側に位置する底板部を有するディスペンサー本体部とディスペンサー本体部を支持する台座部とを備え、
前記前板部に衛生薄葉紙の取り出し口が形成されているとともに、前記台座部を介して水平面上に据え置いたときに、前記前板部が前方に傾斜していることを特徴とする衛生薄葉紙ディスペンサー。
【０００９】
（作用効果）
本発明によれば、取り出し口を前板部に設け、この前板部を前傾に配する構成としたので、取り出し方向が前方又は前方斜め下方向となり、従来の底面に取り出し口を有しそこから下方に衛生薄葉紙を取り出すディスペンサーと比較すると、高さを低くすることできる。
また、取り出し口が傾斜する前方に傾斜する前板部に設けられているので、取り出し口から塵や埃が入り込むことが防止されるとともに、内部に収めた束が使用に伴う引出し操作によって前板側に傾倒又は移動するので、使用後期においても取り出し口から露出すべき薄葉紙がディスペンサー内に落ち込むことがなく、取り出し性に優れしかも衛生的に使用できる。
【００１０】
＜請求項２記載の発明＞
台座部を介して水平面に載置したときに、ディスペンサー本体部の前板部と水平面との間の角度が６０〜８０度である請求項１記載の衛生薄葉紙ディスペンサー。
【００１１】
（作用効果）
当該角度の範囲であると、取り出し口からの衛生薄葉紙の引出しに起因する、内部に収めた衛生薄葉紙の束の前板側に移動・傾倒がより一層確実なものとなり、使用後期に取り出し口から露出すべき薄葉紙がディスペンサー内に落ち込むことが確実に防止されるようになり、また取り出し口が下向きになりすぎずに適度に前方に向いて衛生薄葉紙の引出し操作がしやすいものとなる。
【００１２】
＜請求項３記載の発明＞
取り出し口が幅方向に延在する細長形状をなし、かつ、取り出し口の下側縁が前側に延出して延出片が形成されている請求項１記載の衛生薄葉紙ディスペンサー。
【００１３】
（作用効果）
取り出し口から露出される衛生薄葉紙の一部が、延出片により上方に向かって支持されるようになり、当該一部を摘みやすくなる。
【００１４】
＜請求項４記載の発明＞
延出片の上縁の幅方向中央部に凹部欠損部が形成されている請求項３記載の衛生薄葉紙ディスペンサー。
【００１５】
（作用効果）
取り出し口から露出される衛生薄葉紙の一部をより一層摘みやすくなる。
【００１６】
＜請求項５記載の発明＞
前記台座部が、前板部の底側縁より前方に延在された延在部を有し、ディスペンサー本体部の前側への傾倒が防止されている請求項１記載の衛生薄葉紙ディスペンサー。
【００１７】
（作用効果）
延在部を設けることで、特に前方への傾倒が防止され、ディスペンサーを据え置きにしたときの安定性が向上する。
【００１８】
＜請求項６記載の発明＞
ディスペンサー本体部は、前板部に対して間隔を空けて配された背板部と、前板部と背板部との側部を連結する側板部とを有して前方上部開放の箱形をなしている請求項１記載の衛生薄葉紙ディスペンサー。
【００１９】
（作用効果）
塵・埃・汚液などから、収納した衛生薄葉紙の束が保護される。
【００２０】
＜請求項７記載の発明＞
ディスペンサー本体部は、上部開放部分を塞ぐ開閉自在な蓋部材を備える請求項６記載の衛生薄葉紙ディスペンサー。
【００２１】
（作用効果）
塵・埃・汚液などから、収納した衛生薄葉紙の束が保護される。
【発明の効果】
【００２２】
以上のとおり、本発明によれば、省スペースで作業台等においても場所を取らず、かつ、取り出し性に優れるとともに衛生的かつ簡易に使用できる衛生薄葉紙ディスペンサーが提供される。
【発明を実施するための最良の形態】
【００２３】
次いで、本発明の実施の形態を図１〜８を参照しながら以下に詳述する。
図１は、本形態の衛生薄葉紙ディスペンサーＸ１の斜視図であり、図２は、そのII−II断面図である。
図３は、本形態の衛生薄葉紙ディスペンサーＸ１の正面図であり、図４は、その衛生薄葉紙の束を収納した状態の正面図である。
図５は、使用状態の正面図であり、図６は、そのVI−VI断面図である。
【００２４】
図７及び８は、本形態の衛生薄葉紙ディスペンサーＸ１に用いられる衛生薄葉紙の束を説明するための斜視図である。
【００２５】
本形態の衛生薄葉紙ディスペンサーＸ１は、キッチン台、洗面台、手洗い場台、作業台、床などに載置して使用する据え置き型の衛生薄葉紙ディスペンサーである。
この衛生薄葉紙ディスペンサーＸ１は、衛生薄葉紙の束１００を収納する本体部１０と、本体部１０を支持してディスペンサー自体を据え置きにするための台座部２０とで構成される。
なお、衛生薄葉紙ディスペンサーＸ１の素材については、特に限定されず、例えば、アクリル樹脂、ユリア樹脂、ＡＢＳ樹脂等の合成樹脂素材、ステンレス材やアルミ材等の金属素材、段ボール紙やコートボール紙等の紙素材、木材等適宜の素材を選択することができる。
【００２６】
前記ディスペンサー本体部１０は、前板部１１、背板部１２、側板部１３及び底板部１５とが一体となって前方上部開放の箱形をなし、内部に衛生薄葉紙の束１００を収納可能な空間１０Ｓを形成している。使用にあたっては、前記前方上部の開放から衛生薄葉紙の束を内部に収める。
また、本形態のディスペンサー本体部１０は、背板部１２の上縁をヒンジ部として前記開放部分を塞ぐ開閉自在な蓋部材１５を備えており、収納した衛生薄葉紙の束１００を汚液・塵・埃から保護されるようになっている。ヒンジ機構は、蝶番等の既知の技術により達成すればよく、本発明においては特に限定されない。
【００２７】
ディスペンサー本体部１０を構成する前板部１１は、幅Ｌ１が２１０〜２５０ｍｍ程度とされ、高さ方向の長さＬ２が７０〜９０ｍｍ程度とされ、高さ方向の中央部において幅方向に延在する細長状に開口する衛生薄葉紙の取り出し口１１Ｈを有しており、また、特徴的に前方に傾斜している。
従って、衛生薄葉紙１０１の取り出しは、前記取り出し口１１Ｈから露出する衛生薄葉紙１０１の一部１０１Ａを摘み、下方、前方又は前板部１１に対して直行する方向に引き出す操作して行なう。
【００２８】
なお、本発明における「傾斜」とは、台座部２０を介して水平面上にディスペンサーを載置したときを基準とする。
前記前板部１１の好適な傾斜具合は、台座部２０を介してディスペンサー自体Ｘ１を水平面上に載置したときに、前記前板部１１の傾斜∠Ａが水平面に対して６０〜８０度となるように構成するのがよい。５０度未満となると取り出しの際に作業台などの載置面に手がつきやすくなり、効果的に衛生薄葉紙を取り出し難くなり、８０度を超えてくると内部の衛生薄葉紙の束１００が前板部１１に支持されずに背板側に傾倒して取り出し口１１Ｈから遠ざかり当該一部１０１Ａがディスペンサー本体部内１０Ｓに落ち込んでしまうおそれが高まる。
【００２９】
他方、前記前板部１１には、好ましく、衛生薄葉紙の取り出し口１１Ｈの下側縁が前方に延出した延出片１６が形成されており、取り出し口１１Ｈから露出された衛生薄葉紙の一部が、その延出片１６に載って上方又は前方に突出するように支持され、本体部１０内への当該露出部分１０１Ａの落ち込みが防止されて、衛生的にかつ簡易に摘んで取り出せるようになっている。
この延出片１６は、その上縁１６ｅが前板部１１の底縁１１ｂから上縁１１ｕまでの長さの中間位置よりも上方に位置し、また当該上縁１６ｅと前板部１１との離間距離Ｌ３は、１０〜２５ｍｍであるのが望ましい。１０ｍｍ未満であると、露出部分の取り出し性が向上し難い。２５ｍｍを超えると衛生薄葉紙の一部を支持し難くなる。
【００３０】
さらに、本形態においては、この延出片１６の中央部に矩形に欠損された凹部欠損部１６Ｌが形成されており、衛生薄葉紙の露出部分１０１Ａの中央部が摘みやすくなっている。凹部欠損部の形状は、この矩形に限らず、例えば半円、半楕円等としてもよい。
【００３１】
なお、本発明においては、前板部１１に形成される衛生薄葉紙の取り出し口１１Ｈは、ディスペンサー本体部１０の内部空間１０Ｓと外部とを連通する開口として形成されていればよく、その形状は上記細長状に必ずしも限定はされないし、また延出片１６も必ずしも必要ではない。
【００３２】
他方、背板部１２は、前板部１１との間に衛生薄葉紙の束１００が介在可能な適宜の間隔を空けて位置されており、その間隔は、市販の衛生薄葉紙の束の厚さ（高さ）を考慮すれば、最低でも８０〜１５０ｍｍ程度である。
なお、図示例では、背板部１２は前板部１１と同様の傾斜、すなわち平行に配されているが、背板部１２については、必ずしも傾斜している必要はなく、例えば、背板部１２が、台座部２０に対して垂直又は前板部１１よりも垂直に近い傾斜であれば、前方上部開口が底側に比して口広となり、衛生薄葉紙の束１００を収めやすくなる。
【００３３】
他方、側板部１３は、前板部１１と背板部１２の側部間に介在して両板部１１，１２を連体にして、衛生薄葉紙の束１００を収納する内部空間１０Ｓと外部との境界を形成している。そして、所定の間隔で配置されて内部に収めた束の幅方向への移動を規制して、取り出し口１１Ｈからのスムーズな衛生薄葉紙の取り出しに寄与するとともに、汚液・埃・塵などの汚れから束１００を保護する。
図示の形態においては、側板部１３は、前板部１１及び背板部１２の各板の側縁から一体的に配置されているがこの例に限定されない。衛生薄葉紙の束１００を収納可能な内部空間１０Ｓを確保できる範囲で、意匠等を考慮して適宜の側縁部位置に配することができる。なお、側板部１３は、前板部１１、背板部１２の両側にあるのが望ましいが、一方側のみであってもよい。
【００３４】
他方、底板部１４は、傾斜する前板部１１の上方に向かう面の底側、特に底側縁１１ｂに縁接して、ディスペンサー本体部１０の特に衛生薄葉紙の束１００を収納する空間１０Ｓの底を形成するものであり、収納された衛生薄葉紙の束１００はこれに載置される。前板部１１の底側縁１１ｕで縁接する構成が望ましいのは、ディスペンサー自体Ｘ１の高さを低くでき、スペースファクターの点で好ましいからである。
また、この底板部１４は、ディスペンサーＸ１を水平面に載置した据え置き状態において、背板部１２側が高く、前板部１１側が低くなるように傾斜して配されている。これにより、底板部１４に載置された束１００が適度に前板部１１側に傾倒して、前板部１１によっても支持されるようになる。
【００３５】
なお、底板部１４と前板部１１との間の角度∠Ｂは、好ましくは１００〜８５度、特には直行しているのがよい。
前板部１１と底板部１４との具体的な接合位置としては、衛生薄葉紙の束１００の一般的な幅を考慮すると、取出し口１１Ｈの下縁Ｈｅから４０〜５０ｍｍの位置に底板部があるのがよい。底板部１４に束が載置されたときに取り出し口近傍に束１００を構成する衛生薄葉紙１０１の折り返し片が位置しやすくなり取り出しやすくなる。
【００３６】
一方、本衛生薄葉紙ディスペンサーＸ１を構成する台座部２０は、上述のディスペンサー本体部１０の底側に位置して、ディスペンサー本体部１０を、特に前板部１１の傾斜を維持した状態で支持するとともに作業台等に載置可能にするためのものである。
図示の本形態の台座部２０は、底面平坦の平板状をなし、ディスペンサー本体部１０の側板部１３が底側に延在してなる支持部１３Ａを介して、ディスペンサー本体部１０と不動に連結一体化されているとともに、ディスペンサー本体部１０の前板部１１の上縁１１ｕより前後方向前方に至るまで延在する延在部２１を有して、ディスペンサー本体部１０の自重及び取り出し時における前側への傾倒を防止しつつディスペンサー本体部１０を支持している。
この形態の台座部２０では、延在部２１の長さはＬ４（前板部の底側縁より前方に延在する部分長さ）は、好ましくは１００〜２００ｍｍとするのがよい。１００ｍｍ未満であると引出し時における傾倒防止機能が働かない場合があり、２００ｍｍを超えると設置スペースが広く必要となり好ましくない。また、前板部の上縁より前方に０〜４０ｍｍ、特には１〜３０ｍｍ延在しているのがよい。過度の延在長は設置面積を増大させ省スペースの効果が得られなくなる。
【００３７】
なお、台座部２０は、図示の形態に限らず、例えば、延在部２１を有さずに若しくは延在部を短くして、後部側にディスペンサー本体部１０に比して極めて大きな質量を有するようにして前板部１１の傾斜を維持した状態でディスペンサー本体部１０を支持するようにしてもよいし、また、底面に粘着部やゴム素材、磁石などからなる適宜の滑り止め機構や固定機構を設けてもよい。
【００３８】
さらに、図示の形態Ｘ１では、ディスペンサー本体部１０と台座部２０とが、側板部１３が底側に延在された支持部１３Ａを介して一体化されているが、台座部２０とディスペンサー本体部１０との連結、接合形態や支持部の形態についてはこの形態に限定されない。
【００３９】
以上の説明の衛生薄葉紙ディスペンサーＸ１は、その構造から理解されるように、背景技術の欄でも述べた衛生薄葉紙の束１００をその積層上面が取り出し口に対面するようにして、ディスペンサー本体部１０の内部空間１０Ｓに収めると、束１００の自重によって取り出し口１１Ｈが形成された前板側１０に若干傾倒しつつ前板部１０及び底板部１４によって支持される。
そして、使用時に前板部１１に形成された取り出し口１１Ｈから順次、一枚ずつ内部の衛生薄葉紙１００を取り出しても底側部の傾斜によって束が常に取り出し口近傍に位置するようになるので、使用後期に束を構成する衛生薄葉紙の枚数が減少した場合にも効果的に取り出し操作が行える。
【００４０】
（その他の形態例）
本発明の衛生薄葉紙ディスペンサーは、上述の実施形態に限定されない。すなわち、衛生薄葉紙の束を載置する底板部１４と、取り出し口１１Ｈを有する傾斜された前板部１１と、台座部２０とがあれば、その他の構成については、適宜設計することが可能である。従って、側板部１３や背板部１２を有さない形態も本発明の実施形態の一つである。
【００４１】
また、本発明の衛生薄葉紙ディスペンサーに用いる衛生薄葉紙の束は、例えば、図７及び図８に示すような、上面にスリット状開封口２０１Ｓとなる開封用ミシン目線２０１を有する包装形態のものが利用でき、この場合、ミシン目線２０１を開封した後、樹脂製の外装フィルム２００等を剥がさずに包装されたまま収納して使用することが可能である。
【００４２】
なお、本発明のディスペンサーに用いる衛生薄葉紙としては、キッチンペーパー、ペーパータオル、手拭き用等の清拭用ワイプ、ティシュペーパー等が例示でき、特に、坪量２０〜６０ｇ／ｍ2程度のペーパータオル、キッチンペーパーに効果的である。
【産業上の利用可能性】
【００４３】
本発明は、キッチンペーパー、ペーパータオル、手拭き用等の清拭用ワイプ等の衛生薄葉紙が複数枚重層された衛生薄葉紙の束を内部に収納して、取り出し口から１枚ずつ取り出せるようにした衛生薄葉紙ディスペンサーに利用可能である。
【図面の簡単な説明】
【００４４】
【図１】本発明の衛生薄葉紙ディスペンサーの斜視図である。
【図２】そのII−II断面図である。
【図３】本発明の衛生薄葉紙ディスペンサーの正面図である。
【図４】本発明の衛生薄葉紙ディスペンサーに衛生薄葉紙の束を収めた状態の正面図である。
【図５】本発明の衛生薄葉紙ディスペンサーの使用状態の正面図である。
【図６】そのVI−VI断面図である。
【図７】ピロー包装された衛生薄葉紙の束の斜視図である。
【図８】ピロー包装された衛生薄葉紙の束をそのまま使用する場合の斜視図である。
【符号の説明】
【００４５】
１０…ディスペンサー本体部、１０Ｓ…ディスペンサー本体部の内部空間（衛生薄葉紙の束の収納スペース）、１１…前板部、１１ｕ…前板部の上縁、１１ｂ…前板部の底縁、１１Ｈ…取り出し口、１２…背板部、１３…側板部、１３Ａ…支持部、１４…底板部、１５…蓋部材、１６…延出片、１６ｅ…延出片の上縁、１６Ｌ…凹部欠損部、２０…台座部、２１…延在部、１００…衛生薄葉紙の束、１０１…衛生薄葉紙、１０１Ａ…取り出し口から露出する衛生薄葉紙の一部、Ｌ１…前板部の幅、Ｌ２…高さ方向の長さ、Ｌ３…縁出片の上縁Ｅと前板部との離間距離、Ｌ４…台座部の延在部の長さ、Ｈｅ…取り出し口の下縁、２００…樹脂製外装フィルム、２０１…開封用ミシン目線、２０１Ｓ…スリット、∠Ａ…前板部と水平面との間の角度、∠Ｂ…底板部と前板部との間の角度。
【図１】
2010076811.tif 000003
【図２】
2010076811.tif 000004
【図３】
2010076811.tif 000005
【図４】
2010076811.tif 000006
【図５】
2010076811.tif 000007
【図６】
2010076811.tif 000008
【図７】
2010076811.tif 000009
【図８】
2010076811.tif 000010